(57)【要約】【課題】着用者に使い捨ておむつをはかせ易く、装着感に優れ、使い捨ておむつがずれ落ちるなど難くさせるパンツ型使い捨ておむつを提供すること。【解決手段】背側部Ｂ及び腹側部Ａを有し、該腹側部の両側縁部と該背側部の両側縁部とが結合されてウエスト開口部５及び一対のレッグ開口部６，６が形成されているパンツ型使い捨ておむつであって、ウエスト開口部とレッグ開口部との間にバンド８が設けられており、前記バンド８は、長手方向の一端部８１が背側部Ｂ又はその近傍に固定され、他端部８２が、腹側部Ａに脱着自在に固定可能になされており、バンド８の前記他端部８１を腹側部Ａに固定したときに、該バンド８が、着用者の腸骨稜から上前腸骨棘にかけての部位に当接する部位に位置するようになされている。【選択図】図１
2007222256.tif 000002
【特許請求の範囲】
【請求項１】
背側部及び腹側部を有し、該腹側部の両側縁部と該背側部の両側縁部とが結合されてウエスト開口部及び一対のレッグ開口部が形成されているパンツ型使い捨ておむつであって、
ウエスト開口部とレッグ開口部との間にバンドが設けられており、
前記バンドは、長手方向の一端部が前記背側部又はその近傍に固定され、他端部が、前記腹側部に脱着自在に固定可能になされており、
前記バンドの前記他端部を前記腹側部に固定したときに、該バンドが、着用者の腸骨稜から上前腸骨棘にかけての部位に当接する部位に位置するようになされているパンツ型使い捨ておむつ。
【請求項２】
使い捨ておむつの展開状態において、該使い捨ておむつの長手方向中心線から前記バンドの幅方向中心位置までの距離が１８０〜２３０ｍｍである請求項１記載のパンツ型使い捨ておむつ。
【請求項３】
前記バンドは、長手方向に折り畳まれ、前記他端部が該バンド自体に剥離可能に固定されている請求項１又は２記載のパンツ型使い捨ておむつ。
【請求項４】
前記腹側部におけるウエスト開口部とレッグ開口部との間に左右一対のサイド伸縮領域を有しており、前記他端部を該腹側部に固定した状態において、前記バンドの前記一端部と他端部との間が、該サイド伸縮領域と重なるようになされている請求項１〜３の何れかに記載のパンツ型使い捨ておむつ。
【請求項５】
前記腹側部の側縁部と前記背側部の側縁部とが、該背側部の内面側と該腹側部の外面側とが面接した状態で接合されてサイドシール部が形成されており、
前記サイドシール部は、ウエスト開口部とレッグ開口部との間の高さ方向において、前記バンドの前記一端部が位置する領域における接合強度が、該領域以外の領域における接合強度よりも弱くなされている請求項１〜４の何れかに記載のパンツ型使い捨ておむつ。
【発明の詳細な説明】
【技術分野】
【０００１】
本発明は、パンツ型使い捨ておむつに関する。
【背景技術】
【０００２】
パンツ型使い捨ておむつにおいて、ウエスト開口部とレッグ開口部との間に、おむつの幅方向に延びるように弾性部材を配したものが知られている。例えば、弾性部材の配設間隔を、レッグ開口部に向かうにつれて漸次狭くなるようにすることで、着用者の胴部腰骨の上部に強い収縮力が働くようにしたパンツ型使い捨ておむつが知られている（例えば、特許文献１）。
【０００３】
また、使い捨てトレーニングパンツにおいて、側部パネル部における繊維状ウエブに恒久的にシールされる機械的止着タブを備えたものがすでに提案されている（特許文献２）。このおむつは前記タブを有することにより適合性及び寸法の調整性を高めるとともに、丸めて廃棄する際にも利用できる。
【０００４】
また、着用者の側部に配されるサイド部を、上下方向に二つ以上の部分に分割し、そのうちの、ウエスト開口部の少なくともひとつの部分を、互いに接合されていない腹側部側のフラップ片と背側部側のフラップ片とから構成し、残りの部分を、互いに接合された腹側部側のフラップ片と背側部側のフラップ片とから構成し、前記未接合の両フラップの一方に、他方のフラップ片に着脱自在に止着可能な接合可能な締結手段を設けたパンツ型使い捨ておむつが提案されている（特許文献３）。このおむつは着用する際に無理な姿勢を強いることなく、また脚をバタつかせるなどしても容易に着用させることができ、しかも内部の排泄物を包み込んで排泄することができる。
【０００５】
【特許文献１】実開平６−４２１号公報
【特許文献２】特許第３０１５０６７号公報
【特許文献３】特開２００２−３３６３０２号公報
【発明の開示】
【発明が解決しようとする課題】
【０００６】
特許文献１に記載された使い捨ておむつは、弾性部材により強い収縮力を実現しているため、着用者に使い捨ておむつをはかせる際、はかせにくくなるおそれがある。また、特許文献２に記載されているトレーニングパンツ（使い捨ておむつ）はバンド全体がマジックテープ（登録商標）で構成されているため、装着感が悪化するおそれがある。また、特許文献３に記載された使い捨ておむつは、ウエスト開口部においてサイズ調整を行うため着用者の姿勢の変化に伴う腹囲の変動を妨げ、使い捨ておむつがずれ落ちるなどの装着感低下のおそれがある。
【０００７】
従って、本発明の目的は、前述した従来技術の有する欠点を解消しうるパンツ型使い捨ておむつを提供することにある。
【課題を解決するための手段】
【０００８】
本発明は、背側部及び腹側部を有し、該腹側部の側縁部と該背側部の側縁部とが接合されて、一対のサイドシール部、ウエスト開口部及び一対のレッグ開口部が形成されているパンツ型使い捨ておむつであって、ウエスト開口部とレッグ開口部との間にバンドが設けられており、前記バンドは、長手方向の一端部が前記背側部又はその近傍に固定され、他端部が、前記腹側部に脱着自在に固定可能になされており、前記バンドの前記他端部を前記腹側部に固定したときに、該バンドが、着用者の腸骨稜から上前腸骨棘にかけての部位に当接する部位に位置するようになされているパンツ型使い捨ておむつを提供することにより、前記目的を達成したものである。
【発明の効果】
【０００９】
本発明のパンツ型使い捨ておむつは、着用者に使い捨ておむつを着用させる際に伸張しやすく、はかせやすい。すなわちサイドに設けた一対のバンドにより、装着後の使い捨ておむつを固定できるため、おむつに配されている弾性部材による締め付けを低減することができる。
また、本発明のパンツ型使い捨ておむつは、一対の止着手段を有するバンドを適切な位置に止着することにより着用後のサイズ調整が可能であり、かつ着用者に良好にフィットさせることができ、ずれ落ちを効果的に防止し、さらに使用後には使い捨ておむつの廃棄手段にも利用することができる。
【発明を実施するための最良の形態】
【００１０】
以下本発明を、その好ましい実施形態に基づき図面を参照しながら説明する。図１には本発明のパンツ型使い捨ておむつの一実施形態の斜視図が示されている。図２には、図１に示すおむつを組み立てる前の状態を示す分解斜視図が示されている。図３には、図１の使い捨ておむつにおける外包材の展開状態を示す平面図が示されている。図４には、図１に示す使い捨ておむつに設けられたバンドを示す斜視図が示されている。
【００１１】
本実施形態の使い捨ておむつ１は、液透過性の表面シート２、撥水性又は防漏性の裏面シート３及び両シート２，３間に介在配置された液保持性の吸収性コア４を有する実質的に縦長の吸収性本体１０と、該吸収性本体１０の裏面シート３側に配された外包材１１とを備えている。
【００１２】
外包材１１は、使い捨ておむつ１の長手方向の両側縁が、長手方向中央部において内方に括れた砂時計型の形状をしており、使い捨ておむつの輪郭を形成している。使い捨ておむつ１は、着用者の腹側に配される腹側部Ａと背側に配される背側部Ｂとその間に位置する股下部Ｃとを有している。
使い捨ておむつ１は、腹側部Ａの両側縁部Ａ１、Ａ２と背側部Ｂの両側縁部Ｂ１、Ｂ２とが互いに接合されており、この接合によって、一対のサイドシール部Ｓ、ウエスト開口部５及び一対のレッグ開口部６が形成されている。
本実施形態の使い捨ておむつ１においては、腹側部Ａの側縁部Ａ１、Ａ２と背側部Ｂの側縁部Ｂ１、Ｂ２とは、図４に示すように、該背側部Ｂの内面側１５と該腹側部の外面側１４とが面接した状態で接合されている。この接合方法としては、ヒートシール、高周波シール、超音波シール等の接合方法が用いられる。
【００１３】
表面シート２、裏面シート３及び吸収性コア４はそれぞれ矩形状であり、一体化されて縦長の吸収性本体１０を形成している。表面シート２及び撥水性や防漏性の裏面シート３としては、従来この種のおむつに用いられている材料と同様のものを用いることができる。
また吸収性コア４は、高吸収性ポリマーの粒子及び繊維材料から構成されており、ティッシュペーパー（図示せず）によって被覆されている。吸収性コア４としては、パルプ繊維等の繊維から成る繊維集合体またはこれに高吸収性ポリマーを保持させてなるもの等を好ましく用いることができる。繊維集合体は、不織布も含む概念である。高吸収性ポリマーを保持する形態としては、繊維集合体の繊維間に分散して保持されている形態、２層以上からなる繊維層の間にサンドイッチされている形態、高吸収性ポリマーからなる層と繊維集合体からなる層とが、蓄層された状態でティッシュペーパー等で包まれている状態等を用いることができる。
【００１４】
外包材１１は、少なくとも二枚の不織布、即ち外層不織布１２と該外層不織布１２の内面側に配された内層不織布１３とを有している。外層不織布１２は使い捨ておむつ１の外面をなし、内層不織布１３は外層不織布１２の内側面に、ホットメルト粘着材等の接着剤によって接合されている。外層不織布１２と内層不織布１３は液の染み出し性を考慮すると、両方ともに撥水性であることが好ましい。
【００１５】
外包材１１における長手方向の前後部には、前後部の前後端縁に沿って、複数のウエスト部弾性部材５１が、その幅方向に亘り配されている。各ウエスト部弾性部材５１は、外層不織布１２と内層不織布１３とによって伸張状態で挟持固定されている。各ウエスト弾性部材５１は使い捨ておむつ１の腹側部Ａの両側縁部Ａ１、Ａ２と背側部Ｂの両側縁部Ｂ１、Ｂ２とを互いに接合させてサイドシール部（接合部分）を形成したときに、両弾性部材５１、５１の端部同士が重なるように配されている。
【００１６】
外層不織布１２は、外層不織布１２と内層不織布１３とによって各ウエスト弾性部材５１、５１を挟持固定する部位よりも更に延出する長さを有し、外層不織布１２の内層不織布１３より延出した部分が吸収性本体１０側に折り返されている。外層不織布１２の折り返した部分により、吸収性本体１０の前後端部上（即ち吸収性本体１０の前後端部における表面シート２上）が被覆されている。
【００１７】
外包材１１における左右両側の湾曲部には、図３に示すように、レッグ部弾性部材６１ａ、６１ｂが配されている。
各レッグ部弾性部材６１ａ、６１ｂは、外層不織布１２と内層不織布１３との間に配されており、接着剤やヒートシール等の所定の接合手段によって、両不織布１２、１３に伸張状態で固定されている。各レッグ部弾性部材６１ａ、６１ｂは、その一端同士が股下部Ｃにおいて重なり合っている。一方、他端は腹側部Ａ及び背側部Ｂの各側縁の位置において終端している、各レッグ部弾性部材６１ａ、６１ｂは、おむつ１の腹側部Ａの両側縁部Ａ１、Ａ２と背側部Ｂの両側縁部Ｂ１、Ｂ２とを互いに接合させたときに、両弾性部材６１ａ、６１ｂの他端部同士が重なるように配されているか、両接合部分まで両弾性部材６１ａ、６１ｂの他端部が連続配置されている。これによって、図１に示すように、おむつ１のレッグ開口部６、６の付近には実質的に連続したリング状のレッグギャザーが形成される。
【００１８】
本実施形態の使い捨ておむつ１においては、腹側部Ａ及び背側部Ｂそれぞれにおけるウエスト開口部５とレッグ開口部６との間に、使い捨ておむつ１の幅方向に延びる弾性部材７１ａ，７１ｂが多数配されている。弾性部材７１ａ，７１ｂは、腹側部Ａ及び背側部Ｂそれぞれにおいて、幅方向の左右に分離された状態に配置されている。
【００１９】
前記弾性部材７１ａ，７１ｂは、外層不織布１２と内層不織布１３とによって伸張状態で挟持固定されている。弾性部材７１ａ，７１ｂは使い捨ておむつ１の腹側部Ａの両側縁Ａ１，Ａ２と背側部Ｂの両側縁Ｂ１，Ｂ２とを互いに接合させたときに、腹側部Ａの弾性部材７１ａと背側部Ｂの弾性部材７１ｂとの端部同士が重なるように配されているか、両接合部分まで各弾性部材７１ａ，７１ｂの端部が配置されている。
【００２０】
前記弾性部材７１ａ，７１ｂは、おむつの腹側部及び背側部それぞれにおける両側部に伸張状態で配されている一方、おむつの腹側部及び背側部それぞれにおける幅方向中央部には実質的に配されていない。具体的には、弾性部材７１ａ，７１ｂは、おむつ１の左右両側縁（即ち外包材１１の左右両側縁）から、吸収性コア４の左右両側縁の延長線の位置をやや超えるくらいまでの範囲に延在しているが、吸収性コア４の一方の側縁の延長線と他方の側縁の延長線との間には、各延長線に近い僅かな部分しか存在していない。
弾性部材７１ａ，７１ｂが、腹側部Ａ及び背側部Ｂに、それぞれ幅方向の左右に分離された状態に配置されていることによって、腹側部Ａ及び背側部Ｂそれぞれにおける、ウエスト開口部５とレッグ開口部６との間に、それぞれおむつ幅方向に伸縮するギャザーが形成されており、このギャザーが形成された部分が、本実施形態におけるサイド伸縮領域７，７となっている。
【００２１】
図１及び図４に示すように、本実施形態の使い捨ておむつ１においては、ウエスト開口部５とレッグ開口部６，６との間に一対のバンド８，８が設けられている。
各バンド８は、長手方向の一端部８１が、背側部Ｂの側縁部Ｂ１（Ｂ２）に固定されており、それぞれ、該側縁部Ｂ１（Ｂ２）から、おむつの幅方向外方に突出するように設けられている。各バンド８は、長手方向の他端部８２に締結手段９を有し、該締結手段９を介して、該他端部９を、腹側部Ａに脱着自在に固定可能である。バンド８の他端部８２を固定する位置は、前記一端部８１が固定された位置よりも前方（腹側部Ａの幅方向中央部により近い位置）である。
【００２２】
本実施形態の使い捨ておむつ１は、バンド８でおむつの胴回りを締め付けない状態で着用者にはかした後、該バンド８を引っ張り、該バンド８の他端部８２を腹側部Ａに固定することで、おむつ装着後に着用者の体型に合わせて調節することができる。
また、バンド８は、該バンド８の他端部８２をこのようにして腹側部Ａに固定したときに、該バンド８が、着用者の腸骨稜から上前腸骨棘にかけての部位に当接する部位（以下、腸骨領域ともいう）に位置するようになされている。腸骨稜及び腸骨棘は解剖学の用語である。腸骨稜は図５に符号９ａで示される部位であり、腸骨棘は図５に符号９ｂで示される部位である。
固定状態のバンド８が、腸骨領域に位置することで、該領域を、着用者の腸骨稜から上前腸骨棘にかけての部位に押し当てることができ、これにより、おむつのズレ落ちが効果的に防止される。腸骨は腹側部側に存在するため、この効果は、バンド８の一端部８１が背側部Ｂに固定され、他端部８２が腹側部Ａに止着する場合に特に効果的に発揮される。但し、本発明におけるバンドは、サイドシール部Ｓを構成する腹側部Ａの側縁部にバンド８の一端部８１が固定されている場合等、バンド８の一端部８１が背側部Ｂの近傍に固定されていても良い。
【００２３】
本実施形態の使い捨ておむつ１においては、装着後にバンド８によっておむつを固定できるため、おむつ１に配されている弾性部材７１ａ，７１ｂによる締め付けを、バンドを持たない従来のおむつよりも弱めることができ、着用者を過度に締め付けることを防止できる。
更に、背側部にバンド８の一端部８１が固定されていることにより、使用後のおむつを丸めて廃棄する際に、このバンドを用いて図６のような丸めた形に小さく固定できる。この際、バンド８は端部が脱着自在に固定可能になされているため、従来の廃棄用テープのように、装着時に着衣等に接着されてしまい廃棄時に使用できなくなるようなことがなく、また廃棄の際にうまく丸められなかった場合には繰り返し固定しなおすこともできる。
【００２４】
バンド８の配置位置は、使い捨ておむつの展開状態において、該使い捨ておむつの長手方向中心線ＣＬから該バンドの幅方向中心位置８３までの距離Ｌ（図３参照）が１８０〜２３０ｍｍとなる位置であることが好ましい。バンド８の幅は１２〜３５ｍｍ、長さＬ１（図３参照）は５０〜１００ｍｍであることが好ましい。バンドの位置、幅を上記の範囲にすることで、バンドを腸骨領域に首尾よく位置させ、該領域を着用者の腸骨位置に首尾よく当接させることができる。更に、バンド８の長さを上記の範囲にすることで、バンドに取り付けられた締結手段９が着用時に伸縮領域７１にかかりにくくなるため、着用中におむつ本体から剥離することなく、装着感を損なわない。
【００２５】
本実施形態の使い捨ておむつ１は、図１に示すように、バンド８を、展開状態の使い捨ておむつにおけるおむつ幅方向と平行な方向に延ばした状態で腹側部Ａに固定するように設計されている。腹側部Ａには、バンド８の他端部８２を固定すべき領域が他の部分とは視覚的あるいは物理的に区別できるように設けられていることが好ましい。バンド８の他端部８２を固定すべき領域は、腹側部Ａにおけるウエスト開口部５とレッグ開口部６との間に設けられるが、好ましくは、ウエスト開口部とレッグ開口部との間の高さ方向（図４中のＴ方向）の位置が、バンド８の一端部８１の位置と略同じであることが好ましい。
バンド８が、おむつ幅方向に対して傾斜した状態に固定されるように設計する場合は、該バンド８の一端部８１と他端部８２との中央部におけるバンド幅方向中心位置が、使い捨ておむつの前記長手方向中心線ＣＬから１８０〜２３０ｍｍとなることが好ましい。
【００２６】
図４に示すように、バンド８は、着用前には締結手段９がバンド自体に接合するように折りたたまれている。このことにより、着用させるものがおむつを広げる際には弾性部材による抵抗のみしか働かない。上述したように、該弾性部材による締め付け圧は従来のおむつに比べて弱めることができるため、はかせる際にはかせやすくなる。
【００２７】
締結手段９には機械的面ファスナーのオス材等を用いることができ、おむつ外面を係合性に富む不織布で構成することで、該不織布はメス部材となる。締結手段９の幅は１０〜３５ｍｍ、長さは１５〜２５ｍｍが好ましい。
【００２８】
本実施形態の使い捨ておむつ１においては、図１に示すように、バンド８の他端部８２を腹側部Ａに固定した状態において、バンド８の一端部８１と他端部８２との間が、該サイド伸縮領域７１と重なるようになされている。これにより、サイド伸縮領域７１が収縮して、おむつがある程度、着用者の胴回りにフィットしている状態で、バンド８の固定操作を行うことができるので、バンド８の固定操作が行い易い。
【００２９】
本実施形態の使い捨ておむつ１におけるサイドシール部Ｓは、ウエスト開口部とレッグ開口部との間の高さ方向（図４中のＴ方向）において、バンド８の一端部８１が位置する領域Ｓ１における接合強度が、該領域Ｓ１以外の領域Ｓ１、Ｓ２における接合強度よりも弱くなされている。このようにすることにより、着用者からおむつを脱がせる際に、バンド８を持って着用者の背側後方に引くことにより、簡単に、腹側部の両側縁Ａ１、Ａ２と背側部の両側縁Ｂ１、Ｂ２とを剥離させることができるので脱がせやすい。接合強度を変える方法としては例えば、シールのエンボス個数や面積を変える方法、あるいはシール温度を変える方法、シールの回数を変える方法が可能である。また、バンド８が固定されている領域Ｓ１が接合されていなくても良い。
【００３０】
以上、本発明をその好ましい実施形態に基づき説明したが、本発明は、上記実施形態に制限されず、適宜に変更可能である。例えば、上述した使い捨ておむつ１においては腹側部Ａの両側縁Ａ１，Ａ２と背側部Ｂの両側縁Ｂ１，Ｂ２とを互いに接合してサイドシールを形成したが、これに代えて、ホック、ボタン、面ファスナーなどの各種係合部材で予め係合させて、パンツ型の形状となしてもよい。また腹側部Ａの両側縁Ａ１，Ａ２と背側部Ｂの両側縁Ｂ１，Ｂ２との接合または係合位置は、身体の真横の位置に限られず、身体のやや前寄り又は後寄りの位置であってもよい。サイドシール部における、腹側部Ａの両側縁部と背側部Ｂの両側縁部とは、腹側部Ａの内面側と背側部Ｂの内面側とが面接した状態で接合されていても良い。
【００３１】
また、上述した使い捨ておむつ１においては外包材１１を外層及び内層不織布１２，１３から構成したが、外包材の材料はこれに限られず、例えば不織布と撥水性シートの積層であってもよい。
更には、おむつの輪郭を画成する外包材１１と、その上に載置される吸収性本体１０とからおむつ１が構成されていたが、これに代えて、表面シート及び裏面シートによっておむつの輪郭を画成させ、両シート間に吸収性コアを介在配置してもよい。また、おむつの腹側部及び背側部における吸収性コアの左右両側部から外方へ延出する部位を、弾性パネル材から構成してもよい。
【００３２】
一実施例として、ベビー用パンツ型使い捨ておむつを作成したとき、そのバンド８は、幅が２０ｍｍ、長さが５５ｍｍ、長手方向中心線ＣＬから背側部Ｂの前記バンド幅の中心位置までの距離Ｌが２１２ｍｍであった。また、締結手段９の幅は２０ｍｍ、長さは２０ｍｍであった。
【図面の簡単な説明】
【００３３】
【図１】図１は、本発明の使い捨ておむつの一実施形態を示す斜視図である。
【図２】図２は、図１に示すおむつを組み立てる前の状態を示す分解斜視図である。
【図３】図３は、図１に示すおむつの外包材の展開状態を示す平面図である。
【図４】図４は、図１に示すおむつのバンドを示す斜視図である。
【図５】図５は、腸骨を示す説明図である。
【図６】図６は、使用後のおむつを廃棄する際に丸めた形を示す斜視図である。
【符号の説明】
【００３４】
１  パンツ型使い捨ておむつ
２  表面シート
３  裏面シート
４  吸収性コア
５  ウエスト開口部
６  レッグ開口部
７  サイド伸縮領域
８  バンド
８１  一端部
８２  他端部
９  締結手段
【図１】
2007222256.tif 000003
【図２】
2007222256.tif 000004
【図３】
2007222256.tif 000005
【図４】
2007222256.tif 000006
【図５】
2007222256.tif 000007
【図６】
2007222256.tif 000008